(57)【要約】患者支持面用ヘッドレストが、略Ｕ形状に形成されたものであって、後頭部或いは前頭部を支持するための中央部（１４）を備え、中央部（１４）の支持面が少なくとも略球殻形状に形成される。患者支持面用ヘッドレストが、互いに離間された二つの側方部（１６）をさらに備え、側方部（１６）の支持面が、軸が側方部（１６）間に延びるヘッドレストの対称中心線（２０）に平行な共通の円筒状面に少なくとも略一致する。各側方部（１６）に、他方の側方部（１６）の方向に突出するチークボーンサポート（１８）が設けられる。
2006506141.tif 000002
【特許請求の範囲】
【請求項１】
略Ｕ形状に形成されたものであって、略球殻形状の支持面を有し、後頭部或いは前頭部を支持するための中央部（１４）と、互いに離間させて設けられ、軸が側方部（１６）間に延びるヘッドレストの対称中心線（２０）に平行な共通の円筒状面に少なくとも一致する支持面を有する二つの側方部（１６）と、側方部（１６）のそれぞれに設けられ、他方の側方部（１６）側に延びるチークボーンサポート（１８）とを備えたことを特徴とする患者支持面用ヘッドレスト。
【請求項２】
剛体のレストシェル（１０）と、そのレストシェルに解放自在に連結されたサポートクッション（１２）とを含むことをさらに特徴とする請求項１記載の患者支持面用ヘッドレスト。
【請求項３】
レストシェル（１０）が合成樹脂材料からなることをさらに特徴とする請求項２記載の患者支持面用ヘッドレスト。
【請求項４】
レストシェル（１０）に対向するサポートクッション（１２）の面に、レストシェル（１０）の孔（４０）を通して挿入するように意図された少なくとも二つの棒状ピン（３６）が設けられる請求項２又は３記載の患者支持面用ヘッドレスト。
【請求項５】
棒状ピン（３６）がそれぞれ、円筒状シャフトを有し、その円筒状シャフトが、外径が上記孔の直径よりも大きく弾力のある弾性バンド（３８）を有することをさらに特徴とする請求項４記載の患者支持面用ヘッドレスト。
【請求項６】
対称中心線（２０）に沿って二つの鏡像となる同様の分割サポート（５０）へと分割されたことをさらに特徴とする請求項１から５いずれかに記載の患者支持面用ヘッドレスト。
【請求項７】
ヘッドレスト或いは各分割レストが、それを形状レールに保持するための固定ブロック（４２）に連結されたことをさらに特徴とする請求項１から６いずれかに記載の患者支持面用ヘッドレスト。
【請求項８】
各側方部（１６）の外縁に、患者の頭部をヘッドレストに固定するためのベルト（２８）を締めるためのアイ（２６）が形成される請求項１から７いずれかに記載の患者支持面用ヘッドレスト。
【発明の詳細な説明】
【技術分野】
【０００１】
本発明は、患者支持面用ヘッドレストに係り、特に手術台のものに関する。
【背景技術】
【０００２】
米国特許第６２７６０１２号明細書から、Ｕ形状の部材とそのＵ形状の部材の脚部間に位置する板形状の部材とから構成されるヘッドレストが知られている。仰向けに寝ている患者の場合には、患者の頭部は両方の部材により支持される。うつぶせになっている患者の場合には、患者の頭部が前頭部にてＵ形状の部材の中央の棒上に位置し、少なくとも患者の口及び鼻が自由になるように、板形状の部材は遠方に揺動される。ヘッドレスト全体は本質的に平らで、クッションが当てられる（クッションでおおわれている）。うつぶせになっている患者の場合と同様に、仰向けに寝ている患者の場合には、頭部が側方から支持されない。
【０００３】
米国特許第６０４２１８４号明細書から、板形状のヘッドレストを有するラウンジチェアが知られている。板形状のヘッドレストでは、開口部が形成される。開口部は、押しボタンによって板に固定され、完全にではなく閉じた環状（Ｃ形状）のクッションによって囲まれている。この場合はまた、仰向けに寝ている状態或いはうつぶせになっている状態、顔を自由にした状態で、人の頭部を支持することが可能である。
【発明の開示】
【発明が解決しようとする課題】
【０００４】
しかしながら、このヘッドレストは、人間の頭部の形状が十分に採用されていなく、例えば圧覚点や同種のものによって患者が負傷しないような方法で、患者が長時間静止していなければならない手術中に、患者の頭部を支持するのに不適当である。
【０００５】
本発明は、仰向けに寝ている患者の場合或いはうつぶせになっている患者の場合の両方に、患者の頭部を所望の位置に確実に保持することができると共に、患者が楽に支持される、上述の種類のヘッドレストを提供することを目的とする。
【課題を解決するための手段】
【０００６】
この目的を達成するために、本発明のヘッドレストは、略Ｕ形状に形成されたものであって、略球殻形状の支持面を有し、後頭部或いは前頭部を支持するための中央部と、互いに離間させて設けられ、軸が側方部間に延びるヘッドレストの対称中心線に平行な共通の円筒状面に略一致する二つの側方部と、側方部のそれぞれに形成され、反対側の側方部側へと延びるチークボーンサポートとを備えている。
【０００７】
本発明のヘッドレストが、人間の頭部特有の形状に適応され、頭蓋（すなわち頬骨と同様に後頭部或いは前頭部）の適切な表面上にて頭部を支持する。上記中央部の球殻形状及び上記側方部の円筒状の湾曲形状のそれぞれによって、頭部が側方へと落ちないように固定される（寝かされる）。側方部上のチークボーンサポートは、一方ではうつぶせになっている患者の場合には顔の良いサポートであり、麻酔マスク或いは他の補助器具の使用と同様に、吸入及び吐出の際には、眼、口及び鼻の部位が自由なままである。本発明のヘッドレストの解剖学的に正しい形状のために、頭部の重量は、集中負荷が低減されるように、ヘッドレストの部分（中央部、側方部及びチークボーンサポート等）上の大きな範囲に分布する。そのために、長い手術の場合でさえ、頭部上、特に顔上に圧覚点が形成されることを避けることができる。
【０００８】
好ましくは、ヘッドレストが、剛体のレストシェルと、そのレストシェルに解放自在に連結可能なサポートクッションとからなる。頭部の側方からの支持のための従来のヘッドレストの場合、クッションを非常に厚くしなければならない。それにより頭部がクッションへと比較的深く沈む。従来のヘッドレストとは対照的に、本発明による解決策の場合には、ヘッドレストの解剖学的形状のため、サポートクッションを薄くすることが可能である。レストシェルが、例えば射出成型法によってレストシェルの製造を単純化するためだけでなく、日々の使用でのレストシェルの清掃を単純化するために合成樹脂材料（プラスチック）から有利になる。
【０００９】
好ましくは、レストシェルに対向するサポートクッションの面には、レストシェルの孔を通して挿入するように意図された少なくとも二つの棒状ピンが設けられる。この方法で、サポートクッションを、レストシェルに迅速且つ確実に連結すると共に、レストシェルから再び容易に取り外すことが可能である。これら孔及びさらに棒状ピンの両方を、容易に問題なく清掃することが可能である。サポートクッションのレストシェルからの望まれない（不必要な）緩みを防止するために、棒状ピンを一定の抵抗を伴ってレストシェルの孔へ挿入すると共に、孔から取り外すことが可能であるように、円筒状のシャフト上の棒状ピンがそれぞれ、直径が孔の直径よりもわずかに大きく弾力のある弾性バンドを有している場合、それが有位になりえる。
【００１０】
本発明のヘッドレストを、一部品として作ることが可能であり、対称中心線に沿って二つの鏡像となる同様の分割サポートへと分割することも可能である。後者の実施形態が、頭部の異なる大きさへのヘッドレストの明確な適応を可能にする。
【００１１】
患者支持面へのヘッドレストの連結については、ヘッドレスト或いは各分割レストを、既知の方法で形状レールに固定するための固定ブロックに連結することが可能である。形状レールはその折返し点にて、患者支持面或いはその患者支持面に連結されたホルダに固定される。手術中の患者が頭部を動かさないことを保証するために、各側方部の外縁に、ベルトを締めるためのアイを形成することが可能である。そのベルトによって、患者の頭をヘッドレストに固定することが可能である。
【００１２】
本発明のさらなる特徴及び利点は、以下の説明、及び、例示の実施形態の方法によって本発明を説明する添付の図面から明らかになるだろう。
【発明の効果】
【００１３】
本発明によれば、人間の頭部特有の形状に適応され、頭蓋の適切な表面上にて頭部を支持するヘッドレストを提供することができるという優れた効果を奏する。
【発明を実施するための最良の形態】
【００１４】
図１〜４中に図示されたヘッドレストが略Ｕ形状（馬蹄形状）に形成され、レストシェル１０と、形状がレストシェル１０の形状に一致するサポートクッション１２とを含んでいる。レストシェルは、（仰向けに寝ている）患者の後頭部、或いは、（うつぶせになっている）患者の前頭部を支持するように意図された中央部１４を有している。この中央部１４において、図１中の上側或いは内側は少なくともほとんど球殻形状（球状のシェル形状）である。中央部１４には二つの側方部１６が連結される。二つの側方部１６は、それらの自由端が互いに近接される。二つの側方部１６はそれぞれ、他方の側方部１６側に突出する部分１８を有している。部分１８は、うつぶせになっている患者の顔の頬骨の部位を支持するチークボーンサポート（頬骨支え）を形成する。側方部１６は、軸がヘッドレストの対称中心線２０に平行な共通の円筒状面に略一致する。対称中心線２０は、二つの側方部１６間に延びている。ヘッドレスト１０の中央の開口部は、患者の顔の眼の部位に対応する中央部１４近傍の領域２２と、患者の顔の口の部位に対応する領域２４とを含んでいる。頭部の解剖学的形状に適したレストシェル１４によって、一方ではより良い側方からの支持、他方ではヘッドレスト上の頭部への増大した支持面積による支持が達成される。そのため、患者の頭部での集中圧負荷、その上患者の頭部での圧覚点の形成の危険が減少される。
【００１５】
各側方部１６の外縁には、ベルト２８を通してそれを引くことによってヘッドサポートに患者の頭部を固定することが可能なアイ（目玉、開口部）２６が設けられている。ヘッドサポートに対して患者の頭部を固定する際、ベルト２８がアイ２６を通して引かれ、次にベルト２８の両端部が互いに重ねられる。そして、ベルト２８が例えば図２中に示されたようなベルクロ（登録商標）ファスナー（面ファスナー）によって締められる（固定される）。ベルトの内側には、ピロー（枕）３０が設けられている。そのピロー３０を介して、ベルトが患者の頭部の上に位置する。
【００１６】
図１に係るレストシェルに連結されたサポートクッション１２が、図３に示される。サポートクッション１２は、中央部３２及び側方部３４を有し、レストシェル１０の形状に適合した形状に形成されている。レストシェル１０に対向するサポートクッション１２の面（側面）には、複数の棒状ピン（スティックピン）３６が設けられている。棒状ピン３６は本質的に円筒状に形成されている。棒状ピン３６のそれぞれの外周の溝には、Ｏリング３８が設けられている。棒状ピン３６はレストシェル１０に形成された孔（ボア）４０に挿入可能である。孔４０及び棒状ピン３６の大きさは、孔４０に対する棒状ピン３６の挿入或いは取外しの際に一定の対立する抵抗が生じるように決定される。しかしながらこの方法で、サポートクッション１２を迅速にレストシェル１０に連結し、或いは、レストシェル１０から取り外すことが可能である。そのため、レストシェル１０及びサポートクッション１２を容易に且つ問題なく衛生的に清掃することが可能である。
【００１７】
図４は、レストシェル１０に連結された固定ブロック４２を示す。固定ブロック４２は、形状開口部４４を有している。固定ブロック４２は、形成された（形状）レール上をスライド自在で、且つ、ねじ４６によってレストシェル１０に固定される。固定ブロック４２をクランプねじ（固定ねじ）４８により固定することによって、ヘッドレスト全体を形成された（形状）レールに固定することが可能である。
【００１８】
図５は、二分割ヘッドレストのための二分割レストシェルを示す。二分割レストシェル５０は、対称中心線２０に関して互いに対称な鏡像となるように形成されている。二分割レストシェル５０は、各分割レストシェル５０にそれぞれ固定ブロック４２が設けられることを除いて、図１に示した一部品のレストシェルの該当箇所の詳細と一致する。図３中の破線５２に示されるように、連結されたサポートクッションがレストシェルと同様に分割される。図５に係る実施形態が、支持される頭部の大きさに合わせて、ヘッドレストの二分割レストシェル間の間隔を変更する可能性を提示する。
【図面の簡単な説明】
【００１９】
【図１】本発明のヘッドレストの第一実施形態に係るサポートシェルの平面図である。
【図２】サポートクッション及び固定ベルトと共に提供されるヘッドレストの側面図である。
【図３】図１のサポートシェルのためのサポートクッションの斜視下面図である。
【図４】図１中のＩＶ−ＩＶ線に沿って得られたサポートシェルの部分断面図である。
【図５】本発明の第二実施形態に係るヘッドレストのレストシェルの図１に対応する平面図である。
【図１】
2006506141.tif 000003
【図２】
2006506141.tif 000004
【図３】
2006506141.tif 000005
【図４】
2006506141.tif 000006
【図５】
2006506141.tif 000007
【手続補正書】
【提出日】平成16年5月10日(2004.5.10)
【手続補正１】
【補正対象書類名】特許請求の範囲
【補正対象項目名】全文
【補正方法】変更
【補正の内容】
【特許請求の範囲】
【請求項１】
剛体のレストシェル（１０）と、そのレストシェルに解放自在に連結可能であるサポートクッション（１２）とを備えた患者支持面用ヘッドレストにおいて、レストシェル（１０）が、略Ｕ形状に形成されたものであって、略球殻形状の支持面を有し、後頭部或いは前頭部を支持するための中央部（１４）と、互いに離間させて設けられ、軸が側方部（１６）間に延びるヘッドレストの対称中心線（２０）に平行な共通の円筒状面に少なくとも一致する支持面を有する二つの側方部（１６）と、側方部（１６）のそれぞれに設けられ、他方の側方部（１６）側に延びるチークボーンサポート（１８）とを備えたことを特徴とする患者支持面用ヘッドレスト。
【請求項２】
レストシェル（１０）が合成樹脂材料からなることをさらに特徴とする請求項１記載の患者支持面用ヘッドレスト。
【請求項３】
レストシェル（１０）に対向するサポートクッション（１２）の面に、レストシェル（１０）の孔（４０）を通して挿入するように意図された少なくとも二つの棒状ピン（３６）が設けられる請求項１又は２記載の患者支持面用ヘッドレスト。
【請求項４】
棒状ピン（３６）がそれぞれ、円筒状シャフトを有し、その円筒状シャフトが、外径が上記孔の直径よりも大きく弾力のある弾性バンド（３８）を有することをさらに特徴とする請求項３記載の患者支持面用ヘッドレスト。
【請求項５】
対称中心線（２０）に沿って二つの鏡像となる同様の分割サポート（５０）へと分割されたことをさらに特徴とする請求項１から４いずれかに記載の患者支持面用ヘッドレスト。
【請求項６】
ヘッドレスト或いは各分割レストが、それを形状レールに保持するための固定ブロック（４２）に連結されたことをさらに特徴とする請求項１から５いずれかに記載の患者支持面用ヘッドレスト。
【請求項７】
各側方部（１６）の外縁に、患者の頭部をヘッドレストに固定するためのベルト（２８）を締めるためのアイ（２６）が形成される請求項１から６いずれかに記載の患者支持面用ヘッドレスト。
【手続補正２】
【補正対象書類名】明細書
【補正対象項目名】全文
【補正方法】変更
【補正の内容】
【発明の詳細な説明】
【技術分野】
【０００１】
本発明は、請求項１の前文に記載の患者支持面用ヘッドレストに係り、特に手術台のものに関する。
【背景技術】
【０００２】
米国特許第６２７６０１２号明細書から、Ｕ形状の部材とそのＵ形状の部材の脚部間に位置する板形状の部材とから構成されるヘッドレストが知られている。仰向けに寝ている患者の場合には、患者の頭部は両方の部材により支持される。うつぶせになっている患者の場合には、患者の頭部が前頭部にてＵ形状の部材の中央の棒上に位置し、少なくとも患者の口及び鼻が自由になるように、板形状の部材は遠方に揺動される。ヘッドレスト全体は本質的に平らで、クッションが当てられる（クッションでおおわれている）。うつぶせになっている患者の場合と同様に、仰向けに寝ている患者の場合には、頭部が側方から支持される。
【０００３】
米国特許第６０４２１８４号明細書から、板形状のヘッドレストを有するラウンジチェアが知られている。板形状のヘッドレストでは、開口部が形成される。開口部は、例えば押しボタンによって板に固定され、完全にではなく閉じた環状（Ｃ形状）のクッションによって囲まれている。この場合はまた、仰向けに寝ている状態或いはうつぶせになっている状態、顔を自由にした状態で、人の頭部を支持することが可能である。
【発明の開示】
【発明が解決しようとする課題】
【０００４】
しかしながら、このヘッドレストは、人間の頭部の形状が十分に採用されていなく、例えば圧覚点や同種のものによって患者が負傷しないような方法で、患者が長時間静止していなければならない手術中に、患者の頭部を支持するのに不適当である。
【０００５】
国際公開第０１／７６４０３号パンフレットは、眼、口及び鼻の部位のための開口部を有するヘルメットのような湾曲形状のレストシェルと、顔の支持のための発泡材料からなるクッションとを含むヘッドレストを開示している。
【０００６】
米国特許第６３７４４４１号明細書は、ボードを有するレストを備え、そのボードに発泡材料からなるクッションが配置され、そのクッションがその外形をカットされて眼、口及び鼻の部位のための中空空間を有する、患者の顔を支持するためのヘッドレストを開示している。
【０００７】
本発明は、仰向けに寝ている患者の場合或いはうつぶせになっている患者の場合の両方に、患者の頭部を所望の位置に確実に保持することができると共に、患者が楽に支持される、上述の種類のヘッドレストを提供することを目的とする。
【課題を解決するための手段】
【０００８】
この目的を達成するために、本発明のヘッドレストは、略Ｕ形状に形成されたものであって、略球殻形状の外側支持面を有し、後頭部或いは前頭部を支持するための中央部と、互いに離間させて設けられ、軸が側方部間に延びるヘッドレストの対称中心線に平行な共通の円筒状面に略一致する二つの側方部と、側方部のそれぞれに形成され、反対側の側方部側へと延びるチークボーンサポートとを備えている。
【０００９】
本発明のヘッドレストが、人間の頭部特有の形状に適応され、頭蓋（すなわち頬骨と同様に後頭部或いは前頭部）の適切な表面上にて頭部を支持する。上記中央部の球殻形状及び上記側方部の円筒状の湾曲形状によって、頭部が側方へと落ちないように固定される（寝かされる）。側方部上のチークボーンサポートは、一方ではうつぶせになっている患者の場合には顔の良いサポートであり、麻酔マスク或いは他の補助器具の使用と同様に、吸入及び吐出の際には、眼、口及び鼻の部位が自由なままである。本発明のヘッドレストの解剖学的に正しい形状のために、頭部の重量は、集中負荷が低減されるように、ヘッドレストの部分（中央部、側方部及びチークボーンサポート等）上の大きな範囲に分布する。そのために、長い手術の場合でさえ、頭部上、特に顔上に圧覚点が形成されることを避けることができる。
【００１０】
頭部の側方からの支持のための従来のヘッドレストの場合、クッションを非常に厚くしなければならない。それにより頭部がクッションへと比較的深く沈む。従来のヘッドレストとは対照的に、本発明による解決策の場合には、ヘッドレストの解剖学的形状のため、サポートクッションを薄くすることが可能である。レストシェルが、例えば射出成型法によってレストシェルの製造を単純化するためだけでなく、日々の使用でのレストシェルの清掃を単純化するために合成樹脂材料（プラスチック）から有利になる。
【００１１】
好ましくは、レストシェルに対向するサポートクッションの面には、レストシェルの孔を通して挿入するように意図された少なくとも二つの棒状ピンが設けられる。この方法で、サポートクッションを、レストシェルに迅速且つ確実に連結すると共に、レストシェルから再び容易に取り外すことが可能である。これら孔及びさらに棒状ピンの両方を、容易に問題なく清掃することが可能である。サポートクッションのレストシェルからの望まれない（不必要な）緩みを防止するために、棒状ピンを一定の抵抗を伴ってレストシェルの孔へ挿入すると共に、孔から取り外すことが可能であるように、円筒状のシャフト上の棒状ピンがそれぞれ、直径が孔の直径よりもわずかに大きく弾力のある弾性バンドを有している場合、それが有位になりえる。
【００１２】
本発明のヘッドレストを、一部品として作ることが可能であり、対称中心線に沿って二つの鏡像となる同様の分割サポートへと分割することも可能である。後者の実施形態が、頭部の異なる大きさへのヘッドレストの明確な適応を可能にする。
【００１３】
患者支持面へのヘッドレストの連結については、ヘッドレスト或いは各分割レストを、既知の方法で形状レールに固定するための固定ブロックに連結することが可能である。形状レールはその折返し点にて、患者支持面或いはその患者支持面に連結されたホルダに固定される。手術中の患者が頭部を動かさないことを保証するために、各側方部の外縁に、ベルトを締めるためのアイを形成することが可能である。そのベルトによって、患者の頭をヘッドレストに固定することが可能である。
【００１４】
本発明のさらなる特徴及び利点は、以下の説明、及び、例示の実施形態の方法によって本発明を説明する添付の図面から明らかになるだろう。
【発明の効果】
【００１５】
本発明によれば、人間の頭部特有の形状に適応され、頭蓋の適切な表面上にて頭部を支持するヘッドレストを提供することができるという優れた効果を奏する。
【発明を実施するための最良の形態】
【００１６】
図１〜４中に図示されたヘッドレストが略Ｕ形状（馬蹄形状）に形成され、レストシェル１０と、形状がレストシェル１０の形状に一致するサポートクッション１２とを含んでいる。レストシェルは、（仰向けに寝ている）患者の後頭部、或いは、（うつぶせになっている）患者の前頭部を支持するように意図された中央部１４を有している。この中央部１４において、図１中の上側或いは内側は少なくともほとんど球殻形状（球状のシェル形状）である。中央部１４には二つの側方部１６が連結される。二つの側方部１６は、それらの自由端が互いに近接される。二つの側方部１６はそれぞれ、他方の側方部１６側に突出する部分１８を有している。部分１８は、うつぶせになっている患者の顔の頬骨の部位を支持するチークボーンサポート（頬骨支え）を形成する。側方部１６は、軸がヘッドレストの対称中心線２０に平行な共通の円筒状面に略一致する。対称中心線２０は、二つの側方部１６間に延びている。ヘッドレスト１０の中央の開口部は、患者の顔の眼の部位に対応する中央部１４近傍の領域２２と、患者の顔の口の部位に対応する領域２４とを含んでいる。頭部の解剖学的形状に適したレストシェル１４によって、一方ではより良い側方からの支持、他方ではヘッドレスト上の頭部への増大した支持面積による支持が達成される。そのため、患者の頭部での集中圧負荷、その上患者の頭部での圧覚点の形成の危険が減少される。
【００１７】
各側方部１６の外縁には、ベルト２８を通してそれを引くことによってヘッドサポートに患者の頭部を固定することが可能なアイ（目玉、開口部）２６が設けられている。ヘッドサポートに対して患者の頭部を固定する際、ベルト２８がアイ２６を通して引かれ、次にベルト２８の両端部が互いに重ねられる。そして、ベルト２８が例えば図２中に示されたようなベルクロ（登録商標）ファスナー（面ファスナー）によって締められる（固定される）。ベルトの内側には、ピロー（枕）３０が設けられている。そのピロー３０を介して、ベルトが患者の頭部の上に位置する。
【００１８】
図１に係るレストシェルに連結されたサポートクッション１２が、図３に示される。サポートクッション１２は、中央部３２及び側方部３４を有し、レストシェル１０の形状に適合した形状に形成されている。レストシェル１０に対向するサポートクッション１２の面（側面）には、複数の棒状ピン（スティックピン）３６が設けられている。棒状ピン３６は本質的に円筒状に形成されている。棒状ピン３６のそれぞれの外周の溝には、Ｏリング３８が設けられている。棒状ピン３６はレストシェル１０に形成された孔（ボア）４０に挿入可能である。孔４０及び棒状ピン３６の大きさは、孔４０に対する棒状ピン３６の挿入或いは取外しの際に一定の対立する抵抗が生じるように決定される。しかしながらこの方法で、サポートクッション１２を迅速にレストシェル１０に連結し、或いは、レストシェル１０から取り外すことが可能である。そのため、レストシェル１０及びサポートクッション１２を容易に且つ問題なく衛生的に清掃することが可能である。
【００１９】
図４は、レストシェル１０に連結された固定ブロック４２を示す。固定ブロック４２は、形状開口部４４を有している。固定ブロック４２は、形成された（形状）レール上をスライド自在で、且つ、ねじ４６によってレストシェル１０に固定される。固定ブロック４２をクランプねじ（固定ねじ）４８により固定することによって、ヘッドレスト全体を形成された（形状）レールに固定することが可能である。
【００２０】
図５は、二分割ヘッドレストのための二分割レストシェルを示す。二分割レストシェル５０は、対称中心線２０に関して互いに対称な鏡像となるように形成されている。二分割レストシェル５０は、各分割レストシェル５０にそれぞれ固定ブロック４２が設けられることを除いて、図１に示した一部品のレストシェルの該当箇所の詳細と一致する。図３中の破線５２に示されるように、連結されたサポートクッションがレストシェルと同様に分割される。図５に係る実施形態が、支持される頭部の大きさに合わせて、ヘッドレストの二分割レストシェル間の間隔を変更する可能性を提示する。
【図面の簡単な説明】
【００２１】
【図１】本発明のヘッドレストの第一実施形態に係るサポートシェルの平面図である。
【図２】サポートクッション及び固定ベルトと共に提供されるヘッドレストの側面図である。
【図３】図１のサポートシェルのためのサポートクッションの斜視下面図である。
【図４】図１中のＩＶ−ＩＶ線に沿って得られたサポートシェルの部分断面図である。
【図５】本発明の第二実施形態に係るヘッドレストのレストシェルの図１に対応する平面図である。
【国際調査報告】
2006506141.tif 000008
2006506141.tif 000009
2006506141.tif 000010
2006506141.tif 000011
2006506141.tif 000012
2006506141.tif 000013